(57)【要約】連結部をつなぎ合わせる連結器（１）であって、その連結器は二つの連結半部（６，７）からなり、互いに対して明確にされる。連結器（１）はその活性位置に配置されて前記連結部分と隣接する二つの相互連結パイプ（１０）の部分を、好適には半径方向凸部（１１）を係止する。連結半部（６，７）の１つは留め金（２）で形成され、もう１つの半部（６，７）は取り付け部分（３）で形成されて留め金（２）と連動する。半部（６，７）の１つは少なくとも１つの凸部（４）を備え、もう一方の半部（６，７）は少なくとも１つの凹部（５）を備え、凸部（４）と凹部（５）は一方の連結半部（６，７）上の留め金（２）をある位置へ導くよう連動するように配置され、ここでもう一方の半部（６，７）上の取り付け部分（３）を係止する。
2005519251.tif 000002
【特許請求の範囲】
【請求項１】
連結部分をつなぎ合わせる連結器（１）は、二つの連結半部（６，７）からなり、それは互いに対して明確にされ、組み合わせられ、前記連結器（１）は前記連結部に隣接する二つの相互連結されたパイプ（１０）の部分を、好適には半径方向凸部（１１）を係合する活性位置に配置される連結器（１）であって、前記連結半部（６，７）のうちの１つは留め金（２）で形成され、もう一方の半部（６，７）は前記留め金（２）と連動する取り付け部分（３）で形成され、前記半部（６，７）の１つが少なくとも１つの凸部（４）を備え、もう一方の半部（６，７）は少なくとも１つの凹部（５）を備え、前記凸部（４）と前記凹部（５）は前記連結半部（６，７）の片方上の前記留め金（２）をある位置に留め金（２）を導くよう連動するよう配置され、前記もう一方の半部（６，７）上の取り付け部分（３）を係合することを特徴とする連結器（１）。
【請求項２】
前記凸部（４）はその側部の少なくとも１つ上で斜角を付けられて前記凸部が前記凹部に嵌合するのを容易にし、前記二つの連結半部（６，７）は結合されることを特徴とする請求項１記載の連結器（１）。
【請求項３】
前記凹部（５）は凹部と凸部の嵌合をより便利にするために少なくとも１つの側部で斜角を付けられて、前記二つの連結半部（６，７）は結合されることを特徴とする請求項１記載の連結器（１）。
【請求項４】
前記凹部（５）と前記凸部（４）は、凹部と凸部の嵌合をより便利にするためにそれぞれ少なくとも１つの側部に斜角を付けられて、前記二つの連結半部（６，７）が結合されることを特徴とする請求項１記載の連結器（１）。
【請求項５】
前記留め金（２）かまたは前記取り付け部分（３）の少なくともどちらかは斜角を付けられて、前記二つの連結半部（６，７）の結合を容易にすることを特徴とする請求項１記載の連結器（１）。
【請求項６】
前記二つの連結半部（６，７）はヒンジ（８）で一体化されてつなぎ合わされることを特徴とする請求項１記載の連結器（１）。
【請求項７】
前記ヒンジ（８）は前記装置の取り付け位置で半径方向に移動することを特徴とする請求項６記載の連結器（１）。
【請求項８】
前記連結半部（６，７）は、反対方向に回転されて相互係止位置に結合される取り付け面で形成される請求項１記載の連結器（１）。
【請求項９】
前記留め金（２）は、取り付け部分（３）に係止されているときに留め金保護目的で前記部分（３）のある凹部に受容されることを特徴とする請求項１記載の連結器（１）。
【発明の詳細な説明】
【技術分野】
【０００１】
本発明は、連結部をつなぎ合わせる連結器に関し、その連結器は二つの連結半部からなり、それらはお互いに関して明確にされて結合されてもよく、その連結器はその連結部に隣接する相互連結された２つのパイプの部分同士、好適には半径方向の凸部同士を係合する活性位置に配置される。
【発明の背景】
【０００２】
上述の概説された種類の連結器がよく知られている。他の例はホース連結型、すなわちねじによって締められるストラップの形状の連結器である。しかしながら今日市場で入手できる連結器に見られる一つの問題点は設置するのが比較的不便であるということであり、特に狭い場所でそうである。別の問題点は連結器が正しく備え付けられるかどうか、すなわち連結器が連結部分を十分につかんでいるかどうかを確立するのが困難なことである。
【発明の概要】
【０００３】
本発明の目的は上記の問題点を取り除くことであり、その他の点でも改良された連結器を提供することである。
【０００４】
この目的は今や添付の請求項１に定義された特徴を有する器具によって発明の内容に従って達成され、好適な実施の形態は従属請求項２乃至９に定義される。
【０００５】
従って、創意に富んだ連結器において、連結半部のうちの１つは１つの留め金で形成されて、もう一方の半部は該留め金と連動する取り付け部分で形成されており、前記半部の１つは少なくとも１つの凸部を備え、もう一方の半部は少なくとも１つの凹部を備え、該凸部及び凹部は一方の連結半部上にある留め金をある位置へ導くよう連動するよう配置され、それは他の半部上で取り付け部分を係止する。この配置のおかげで、一方の連結半部上の留め金は、取り付け部分が形成されているもう一方の半部に対して半径方向の移動に対抗して係止される。その二つの半部の相互接続上で、その留め金は半径方向外向きに曲げられて取り付け部分をかみ合わせ、正しく位置されている場合はその位置にはめ込む。
【０００６】
本発明の好適な形態によると、前記凸部は少なくともその一方の側部に斜角をつけられているために、二つの連結半部がともに連結される時にその凸部が凹部に嵌合されるのが容易になる。留め金が取り付け部分と係止して嵌め込まれる直前にその留め金は半径方向外側に曲がるので、斜角をつけられた側部は凸部をより簡単に凹部に導くことができる。
【０００７】
本発明の別の好適な形態によると、二つの連結半部がともに連結される時に凹部と凸部をより嵌合しやすくするために少なくとも一方の側部に斜角をつけられた凹部が代わりとなっている。
【０００８】
本発明のまた別の好適な形態によると、二つの連結半部が連結される時に凹部と凸部をより嵌合しやすくするために、前記凹部及び凸部は少なくとも一方の側部それぞれに斜角をつけられる。
【０００９】
本発明の別の好適な形態によると、留め金と取り付け部分の少なくとも一方は、二つの連結半部の結合を容易にするために斜角をつけられている。その半部が連結されるときに、その斜角は留め金を取り付け部分を横切ってスナップとラッチの位置まで簡単に摺動させることができる。
【００１０】
本発明の好適な実施の形態によって、二つの連結半部はヒンジで一体的につなぎ合わされる。この配置の利点は、連結器が例えば連結器の応用上間接的でより簡単な操作を有する単一の部品からなる。連結器が単一の部品として形成されうるという事実は製造の観点からも有利であり、それによって経済的な解決策を与える。
【００１１】
本発明の別の好適な形態によると、ヒンジは連結器の搭載位置を半径方向に移動させる。ヒンジの半径方向の置換は連結器に柔軟性を与え、それは二つの相互連結したパイプが拡張して温度変化に反応して収縮するときに利点となる。これによって半径方向に移動したヒンジで形成された連結器は変化するパイプの直径にそれ自身を適合させる。このようにしてパイプの寸法の不正確さは補正されることができる。
【００１２】
本発明の別の好適な実施の形態によると、連結半部は取り付け面で形成されて反対方向に回転され、接触位置に結合される。これらの設計の特徴のおかげで、例えばペンチを使用して連結器を正確に取り付けることが可能になる。
【００１３】
本発明の別の好適な実施の形態によると、前記留め金は取り付け部分に係合しているとき留め金保護目的で前記部分にある凹部で受容する。この配置のおかげで留め金が不意にはずれることに対してさらに保護する。
【００１４】
本発明は添付図面を参照して１つの実施の形態によって以下にさらに詳細に説明される。
【好適な実施例の詳細な説明】
【００１５】
図１及び図２に示される連結器１は留め金２及び取り付け部分３からなる。さらに、連結器１は２つの凸部４と二つの凹部５で形成される。好適な実施の形態では留め金２は凸部４と同じ連結半部６上に形成される。従って、取り付け部分３は凹部５を有する連結半部７上に形成される。連結半部６，７はヒンジ８を介してつなぎ合わされる。連結器１全体は１つの一体化した部品として製造されることが好ましい。
【００１６】
二つのパイプ１０を連結するために（図３ａ乃至３ｃ参照）、パイプ１０上に形成されるフランジ１１が隣接した関係に位置することを確認するような方法でパイプ１０が結び付けられる。その後連結器はフランジ１１が連結器１内に受容される位置に配置され、連結半部６，７はヒンジ８と反対の端部で結合される。連結器の開放端が結合されつつあるために、留め金２は強制的に外側へ曲げられ、取り付け部分３を横切って摺動することができ、その後取り付け部分３の後ろに係合して留められる。留め金２と取り付け部分３とともに凸部４はそれらの結合位置に半径方向に開放端を固定する役目をし、連結器が不意に外れるのに対する安全性を高いレベルで確保する。
【００１７】
好適な実施の形態によって、連結器は第２の凹部９で形成され、それによって例えば色の付いた目印（図示せず）を提供することによって、あるいは取り付け部分に形成されて凹部（図７及び図８参照）に向かって突出する目印の凸部１２を提供することによってなど、正しい連結位置が達成される場合に凸部が第２の凹部９内にはっきりと目に見えるような方法で正しい連結位置が得られるかどうかを指示することが可能となる。
【００１８】
理解されるように、本発明の上記の実施の形態の非常に多くの修正が添付の請求項で定義されるように本発明の保護の範囲内で可能である。上記のように二つの連結半部６，７は例えば異なるサイズであってもよく、すなわち１つの半部はパイプ１０のまわりに例えば２１０度に亘って延長されてもう一つの半部が残りの１５０度に亘って延長してもよい。もう一つの可能な修正は取り付け部分３と同じ連結半部上に凸部４を形成することである。またもう一つの可能性は、二つの凸部４と二つの凹部５、１つの留め金２と１つの取り付け部分３の代わりにそれぞれ２つの留め金２と１つの凹部５を使用することである。明らかに、留め金、取り付け面３、凸部４、及び凹部５の数の他の組み合わせは可能である。加えて、連結器１はフランジ１１の代わりに溝で形成された２つのパイプ１０を相互連結するために使用されてもよい。フランジ１１か溝のどちらかがパイプ１０の全周囲のまわりに延長することは必要ではない。
【００１９】
好適には、凸部４及び／又は凹部５は二つの連結半部６，７を意図する係合位置へ導く役目をしてくさび効果を得るような方法で斜角をつけられ、すなわち取り付け部分３は半径方向で留め金２の下にしっかりと案内され、好適には軸方向にも導かれる。
【００２０】
図５ａ，ｂと図６ａ，ｂとによって最も明らかなように、二つの連結半部はクランプで固定されるので、導かれた摺動運動によるガイド凸部４のくさび形の斜角をつけられた端部４ａは、留め金２の鼻部分の下に固定された係合に取り付け部分３の半径方向外側端部を押す。
【００２１】
理解されるように、類似のくさび形ガイド端部をクランプの二つの半分の係合位置に向けて類似のガイド運動を達成する凹部の後端部に類似のくさび形ガイド端を提供することは本発明の保護の範囲内である。類似のくさび形面は凸部４上と同様に凹部５にも同様に備えられてもよい。
【００２２】
図９乃至１１は留め金の鼻部分が半径方向外側に回転される代わりの実施の形態を示す。この場合留め金２′は凹部９′を介して延長し、その係合位置にはその半径方向外側の端部を係合する。図１１では、数値参照１３′は図８内の目印の凸部１２に対応する目印の凸部を指示する。
【図面の簡単な説明】
【００２３】
【図１】本発明に係る連結器の斜視図である。
【図２】図１と異なる角度から見た連結器の斜視図である。
【図３ａ】本発明に係る連結器による２つのパイプの相互連結を示す図である。
【図３ｂ】本発明に係る連結器による２つのパイプの相互連結を示す図である。
【図３ｃ】本発明に係る連結器による２つのパイプの相互連結を示す図である。
【図４】図１のＩＶ−ＩＶ線に沿って主として切り取られた断面図である。
【図５ａ】図３ｃの線Ｖに沿って固定部分を介した部分断面図であって、開いている位置を示す。
【図５ｂ】図３ｃの線Ｖに沿って固定部分を介した部分断面図であって、閉じている位置を示す。
【図６ａ】図３ｃの線ＶＩに沿って固定部分を介した部分断面図であって、閉じている部分を示す。
【図６ｂ】図３ｃの線ＶＩに沿って固定部分を介した部分断面図であって、開いている部分を示す。
【図７】本発明の別の実施例を示す図である。
【図８】本発明の別の実施例を示す図である。
【図９】本発明のさらに別の実施例を示す図である。
【図１０】本発明のさらに別の実施例を示す図である。
【図１１】本発明のさらに別の実施例を示す図である。
【図１】
2005519251.tif 000003
【図２】
2005519251.tif 000004
【図３ａ】
2005519251.tif 000005
【図３ｂ】
2005519251.tif 000006
【図３ｃ】
2005519251.tif 000007
【図４】
2005519251.tif 000008
【図５ａ】
2005519251.tif 000009
【図５ｂ】
2005519251.tif 000010
【図６ａ】
2005519251.tif 000011
【図６ｂ】
2005519251.tif 000012
【図７】
2005519251.tif 000013
【図８】
2005519251.tif 000014
【図９】
2005519251.tif 000015
【図１０】
2005519251.tif 000016
【図１１】
2005519251.tif 000017
【手続補正書】
【提出日】平成16年2月19日(2004.2.19)
【手続補正１】
【補正対象書類名】特許請求の範囲
【補正対象項目名】全文
【補正方法】変更
【補正の内容】
【特許請求の範囲】
【請求項１】
連結部分をつなぎ合わせる連結器（１）は、二つの連結半部（６，７）からなり、それは互いに対して明確にされ、組み合わせられ、前記連結器（１）は前記連結部に隣接する二つの相互連結されたパイプ（１０）の部分を、好適には半径方向凸部（１１）を係合する活性位置に配置される連結器（１）であって、前記連結半部（６，７）のうちの１つは留め金（２）で形成され、もう一方の半部（６，７）は前記留め金（２）と連動する取り付け部分（３）で形成され、前記半部（６，７）の１つが少なくとも１つの凸部（４）を備え、もう一方の半部（６，７）は少なくとも１つの凹部（５）を備え、前記凸部（４）と前記凹部（５）は前記連結半部（６，７）の片方上の前記留め金（２）をある位置に留め金（２）を導くよう連動するよう配置され、前記もう一方の半部（６，７）上の取り付け部分（３）を係合することを特徴とする連結器（１）。
【請求項２】
前記凸部（４）はその側部の少なくとも１つ上で斜角を付けられて前記凸部が前記凹部に嵌合するのを容易にし、前記二つの連結半部（６，７）は結合されることを特徴とする請求項１記載の連結器（１）。
【請求項３】
前記凹部（５）は凹部と凸部の嵌合をより便利にするために少なくとも１つの側部で斜角を付けられて、前記二つの連結半部（６，７）は結合されることを特徴とする請求項１記載の連結器（１）。
【請求項４】
前記凹部（５）と前記凸部（４）は、前記二つの連結半部（６，７）を半径方向のくさび効果による意図された係止位置に導く役目をする少なくとも１つの側部それぞれに斜角を付けられることを特徴とする請求項１記載の連結器（１）。
【請求項５】
前記留め金（２）かまたは前記取り付け部分（３）の少なくともどちらかは斜角をつけられて前記二つの連結半部（６，７）の結合を容易にすることを特徴とする請求項１記載の連結器（１）。
【請求項６】
前記二つの連結半部（６，７）はヒンジ（８）で一体化されてつなぎ合わされることを特徴とする請求項１記載の連結器（１）。
【請求項７】
前記ヒンジ（８）は、前記連結器の搭載位置で半径方向に移動することを特徴とする請求項６記載の連結器（１）。
【請求項８】
前記連結半部（６，７）は、反対方向に回転されて相互係止位置に結合される取り付け面で形成されることを特徴とする請求項１記載の連結器（１）。
【請求項９】
前記留め金（２）は、前記取り付け部分（３）に係止しているときに、留め金保護目的で前記部分（３）内のひとつの凹部を受容することを特徴とする請求項１記載の連結器（１）。
【手続補正書】
【提出日】平成16年4月27日(2004.4.27)
【手続補正１】
【補正対象書類名】特許請求の範囲
【補正対象項目名】全文
【補正方法】変更
【補正の内容】
【特許請求の範囲】
【請求項１】
連結部をつなぎ合わせた連結器（１）は、二つの連結半部（６，７）からなる前記連結器は互いと比較して明確にされて結合され、前記連結部に隣接する二つの相互連結したパイプ（１０）のある部分を、好適には半径方向凸部（１１）を係止するその活性位置に配置される連結器であって、前記連結半部（６，７）の１つは留め金（２）で形成されてもう一方の半部（６，７）は前記留め金（２）と連動する取り付け部分（３）で形成されており、前記半部（６，７）の１つは少なくとも１つの凸部（４）を備え、もう一方の半部（６，７）は少なくとも１つの凹部（５）を備え、前記凸部（４）と前記凹部（５）は一方の前記連結半部（６，７）上にある留め金（２）をある位置へ導くよう連動するように配置され、他の半部（６，７）上で取り付け部分（３）を係止して、前記凸部（４）と前記凹部（５）の少なくとも１つは前記二つの連結半部（６，７）を半径方向のくさび効果による意図された係止位置に導く役目をする少なくとも１つの側部に斜角をつけられることを特徴とする請求項１記載の連結器（１）。
【請求項２】
前記凸部（４）は、前記二つの連結半部（６，７）を半径方向のくさび効果による意図された係止位置に導く役目をするその側部の少なくとも１つ上に斜角を付けられることを特徴とする請求項１記載の連結器（１）。
【請求項３】
前記凹部（５）は、前記二つの連結半部（６，７）を半径方向のくさび効果による意図された係止位置に導く役目をする少なくとも１つの側部上に斜角を付けられることを特徴とする請求項１記載の連結器（１）。
【請求項４】
前記凹部（５）と前記凸部（４）は、前記二つの連結半部（６，７）を半径方向のくさび効果による意図された係止位置に導く役目をする少なくとも１つの側部それぞれに斜角を付けられることを特徴とする請求項１記載の連結器（１）。
【請求項５】
前記留め金（２）かまたは前記取り付け部分（３）の少なくともどちらかは斜角をつけられて前記二つの連結半部（６，７）の結合を容易にすることを特徴とする請求項１記載の連結器（１）。
【請求項６】
前記二つの連結半部（６，７）はヒンジ（８）で一体化されてつなぎ合わされることを特徴とする請求項１記載の連結器（１）。
【請求項７】
前記ヒンジ（８）は、前記連結器の搭載位置で半径方向に移動することを特徴とする請求項６記載の連結器（１）。
【請求項８】
前記連結半部（６，７）は、反対方向に回転されて相互係止位置に結合される取り付け面で形成されることを特徴とする請求項１記載の連結器（１）。
【請求項９】
前記留め金（２）は、前記取り付け部分（３）に係止しているときに、留め金保護目的で前記部分（３）内のひとつの凹部を受容することを特徴とする請求項１記載の連結器（１）。
【国際調査報告】
2005519251.tif 000018
2005519251.tif 000019